(57)【要約】【課題】従来の墓における水鉢は、一重の石で構成したものは、重い石を降ろしてから納骨するので体に負担がかかる。引き戸式の扉を設けたものは、扉を開閉する際、引き戸が移動するため横幅空間を広くとる必要がある。引き出しを形成したものは、石と石とがぶつかり合うため、引っかかりが起きるなどの問題がある。【解決手段】墓における水鉢部２が下方台板２Ａと、左方側面２Ｂと、右方側面２Ｃと、上方台板２Ｄと、前方の観音開き戸２Ｅと、後方の観音開き戸２Ｆから構成されている。【選択図】        図１
2004360406.tif 000002
【特許請求の範囲】
【請求項１】
芝台（１Ａ）と、芝台の上面に設置された下台（１Ｂ）と、下台の上面に設置された中台（１Ｃ）と、中台の上面に設置されたさお（１Ｄ）と、芝台の下面に形成された納骨用くぼみ（１Ｅ）から構成され、芝台（１Ａ）には納骨用くぼみと連通する平面方形の開口部（１Ａ１）が開口され、下台（１Ｂ）には当該下台の正面に略下向きコ字状に形成した開口部（１Ｂ１）が芝台の開口部（１Ａ１）と連通するよう構成され、下台（１Ｂ）の開口部（１Ｂ１）には当該開口部（１Ｂ１）を塞ぐ状態で水鉢部（２）が取付けられ、水鉢部（２）内には香炉部（１Ｆ）が配設されているものにおいて、水鉢部（２）は、下方台板（２Ａ）と、左方側面（２Ｂ）と、右方側面（２Ｃ）と、上方台板（２Ｄ）と、前方の観音開き戸（２Ｅ）と、後方の観音開き戸（２Ｆ）から構成されていることを特徴とする墓。
【請求項２】
請求項１記載の墓において、水鉢部（２）は、下方台板（２Ａ）と、左方側面（２Ｂ）と、右方側面（２Ｃ）と、上方台板（２Ｄ）と、前方の観音開き戸（２Ｅ）と、後方の観音開き戸（２Ｆ）から構成され、
下方台板（２Ａ）は、平面左右に横長方形に構成された下方板（２Ａ１）と、下方板（２Ａ１）の後方辺の上面に突設された横長角柱状のストッパ（２Ａ２）から構成され、
左方側面（２Ｂ）は、前後の長さが下方台板の幅より短く構成されている側面方形の側板（２Ｂ１）の前方端外方に平面略Ｌ字状の切欠き（２Ｂ２）を形成して構成され、下方台板（２Ａ）の左方辺に前方部分を残して起立連結され、
右方側面（２Ｃ）は、前後の長さが下方台板の幅より短く構成されている側面方形の側板（２Ｃ１）の前方端外方に平面略Ｌ字状の切欠き（２Ｃ２）を形成して構成され、下方台板（２Ａ）の右方辺に前方部分を残して起立連結され、
上方台板（２Ｄ）は、平面左右に横長方形の上方板（２Ｄ１）で構成され、左方側面（２Ｂ）と右方側面（２Ｃ）の上面に下方台板（２Ａ）と平行な状態で連結され、
前方の観音開き戸（２Ｅ）は、前方左の開き戸（２Ｅ１）と前方右の開き戸（２Ｅ２）から構成され、前方左の開き戸（２Ｅ１）は、正面方形の左戸用板（２Ｅ１１）と左戸用板の左方端に連設された立柱体（２Ｅ１２）から構成され、立柱体（２Ｅ１２）が左方側面（２Ｂ）における切欠き（２Ｂ２）の位置で、下方台板（２Ａ）と上方台板（２Ｄ）間で支点ピンにより回動自在の状態で支持され、前方右の開き戸（２Ｅ２）は、正面方形の右戸用板（２Ｅ２１）と右戸用板の右方端に連設された立柱体（２Ｅ２２）から構成され、立柱体（２Ｅ２２）が右方側面（２Ｃ）における切欠き（２Ｃ２）の位置で、下方台板（２Ａ）と上方台板（２Ｄ）間で支点ピンにより回動自在の状態で支持され、
後方の観音開き戸（２Ｆ）は、後方左の開き戸（２Ｆ１）と後方右の開き戸（２Ｆ２）から構成され、後方左の開き戸（２Ｆ１）は、正面方形の左戸用板で構成され、当該後方左の開き戸（２Ｆ１）の左端を中心に下方台板（２Ａ）と上方台板（２Ｄ）間で支点ピンにより回動自在の状態で支持され、後方右の開き戸（２Ｆ２）は、正面方形の右戸用板で構成され、当該後方右の開き戸（２Ｆ２）の右端を中心に下方台板（２Ａ）と上方台板（２Ｄ）間で支点ピンにより回動自在の状態で支持され、
香炉部（１Ｆ）は、平面方形の下板（１Ｆ１）と、下板の上面に当該下板の左右部分（１Ｆ１１）を残して載置された香炉（１Ｆ２）から構成され、水鉢部（２）内に収納されていることを特徴とする墓。
【請求項３】
請求項１記載の墓において、水鉢部（２）に代えて下記の第１種水鉢部（３）を用いるよう構成したことを特徴とする墓。
第１種水鉢部（３）は、下方台板（３Ａ）と、左方側面（３Ｂ）と、右方側面（３Ｃ）と、上方台板（３Ｄ）と、前方の観音開き戸（３Ｅ）と、後方の観音開き戸（３Ｆ）から構成され、
下方台板（３Ａ）は、平面左右に横長方形に構成された下方板（３Ａ１）と、下方板（３Ａ１）の後方辺の上面に突設された横長角柱状のストッパ（３Ａ２）から構成され、
左方側面（３Ｂ）は、前後の長さが下方台板の幅より短く構成されている側面方形の側板（３Ｂ１）の前方面に平面略Ｕ字状の湾曲面（３Ｂ２）を形成して構成され、下方台板（３Ａ）の左方辺に前方部分を残して起立連結され、
右方側面（３Ｃ）は、前後の長さが下方台板の幅より短く構成されている側面方形の側板（３Ｃ１）の前方面に平面略Ｕ字状の湾曲面（３Ｃ２）を形成して構成され、下方台板（３Ａ）の右方辺に前方部分を残して起立連結され、
上方台板（３Ｄ）は、平面左右に横長方形の上方板（３Ｄ１）で構成され、左方側面（３Ｂ）と右方側面（３Ｃ）の上面に下方台板（３Ａ）と平行な状態で連結され、
前方の観音開き戸（３Ｅ）は、前方左の開き戸（３Ｅ１）と前方右の開き戸（３Ｅ２）から構成され、前方左の開き戸（３Ｅ１）は、正面方形の左戸用板（３Ｅ１１）と左戸用板の左方端に連設された立柱体（３Ｅ１２）から構成され、立柱体（３Ｅ１２）が左方側面（３Ｂ）における湾曲面（３Ｂ２）の前方位置で、下方台板（３Ａ）と上方台板（３Ｄ）間で支点ピンにより回動自在の状態で支持され、前方右の開き戸（３Ｅ２）は、正面方形の右戸用板（３Ｅ２１）と右戸用板の右方端に連設された立柱体（３Ｅ２２）から構成され、立柱体（３Ｅ２２）が右方側面（３Ｃ）における湾曲面（３Ｃ２）の前方位置で、下方台板（３Ａ）と上方台板（３Ｄ）間で支点ピンにより回動自在の状態で支持され、
後方の観音開き戸（３Ｆ）は、後方左の開き戸（３Ｆ１）と後方右の開き戸（３Ｆ２）から構成され、後方左の開き戸（３Ｆ１）は、正面方形の左戸用板で構成され、当該後方左の開き戸（３Ｆ１）の左端を中心に下方台板（３Ａ）と上方台板（３Ｄ）間で支点ピンにより回動自在の状態で支持され、後方右の開き戸（３Ｆ２）は、正面方形の右戸用板で構成され、当該後方右の開き戸（３Ｆ２）の右端を中心に下方台板（３Ａ）と上方台板（３Ｄ）間で支点ピンにより回動自在の状態で支持されていること。
【請求項４】
請求項１記載の墓における水鉢部（２）に代えて下記の第２種水鉢部（４）を用いるよう構成したことを特徴とする墓。
第２種水鉢部（４）は、下方台板（４Ａ）と、左方側面（４Ｂ）と、右方側面（４Ｃ）と、上方台板（４Ｄ）と、前方の観音開き戸（４Ｅ）と、後方の観音開き戸（４Ｆ）から構成され、
下方台板（４Ａ）は、平面左右に横長方形に構成された下方板（４Ａ１）と、下方板（４Ａ１）の後方辺の上面に突設された横長角柱状のストッパ（４Ａ２）から構成され、
左方側面（４Ｂ）は、側面方形の側板（４Ｂ１）の後方端に内方に折曲げた後方板（４Ｂ２）を連設して構成され、下方台板（４Ａ）の左方辺に起立連結され、
右方側面（４Ｃ）は、側面方形の側板（４Ｃ１）の後方端に内方に折曲げた後方板（４Ｃ２）を連設して構成され、下方台板（４Ａ）の右方辺に起立連結され、
上方台板（４Ｄ）は、平面左右に横長方形の板で構成され、左方側面（４Ｂ）と右方側面（４Ｃ）の上面に下方台板（４Ａ）と平行な状態で連結され、
前方の観音開き戸（４Ｅ）は、前方左の開き戸（４Ｅ１）と前方右の開き戸（４Ｅ２）から構成され、前方左の開き戸（４Ｅ１）は、正面方形の左戸用板（４Ｅ１１）と左戸用板の左方端に連設された立柱体（４Ｅ１２）から構成され、下方台板（４Ａ）と上方台板（４Ｄ）間における前方辺位置で支点ピンにより回動自在の状態で支持され、前方右の開き戸（４Ｅ２）は、正面方形の右戸用板（４Ｅ２１）と右戸用板の右方端に連設された立柱体（４Ｅ２２）から構成され、下方台板（４Ａ）と上方台板（４Ｄ）間における前方辺位置で支点ピンにより回動自在の状態で支持され、
後方の観音開き戸（４Ｆ）は、後方左の開き戸（４Ｆ１）と後方右の開き戸（４Ｆ２）から構成され、後方左の開き戸（４Ｆ１）は、正面方形の左戸用板で構成され、当該後方左の開き戸（４Ｆ１）の左端を中心に下方台板（４Ａ）と上方台板（４Ｄ）間で支点ピンにより回動自在の状態で支持され、後方右の開き戸（４Ｆ２）は、正面方形の右戸用板で構成され、当該後方右の開き戸（４Ｆ２）の右端を中心に下方台板（４Ａ）と上方台板（４Ｄ）間で支点ピンにより回動自在の状態で支持されていること。
【発明の詳細な説明】
【０００１】
【発明の属する技術分野】
本発明は、新規な構成を有する墓に関するものである。
【０００２】
【従来の技術】
従来の墓における水鉢（「骨ふた」とも云う）は、下記のような構成となっている。
Ａ．第１方式〜一重の石で構成し、納骨は水鉢を全部を移動して行う。
Ｂ．第２方式〜引き戸式の扉を設けて、納骨は扉を開閉して行う。「特許文献１」参照
Ｃ．第３方式〜引き出しを形成する。
【０００３】
【特許文献１】
特許第３０３２４９５号公報
【０００４】
【発明が解決しようとする課題】
従来の技術で述べたものにあっては、下記のような問題点を有していた。
Ａ．第１方式〜重い石を降ろしてから納骨するので体に負担がかかる。水が浸入しやすい。
Ｂ．第２方式〜引き戸が移動するため横幅の空間を広くとる必要がある。
Ｃ．第３方式〜石と石とがぶつかり合うため、引っかかりが起きる。
【０００５】
本発明は、従来の技術の有するこのような問題点に鑑みなされたものであり、その目的とするところは、上述の問題を解決できるものを提供しようとするものである。
【０００６】
【課題を解決するための手段】
上記目的を達成するために、本発明は下記のようになるものである。
すなわち、請求項１記載の発明は、芝台１Ａと、芝台の上面に設置された下台１Ｂと、下台の上面に設置された中台１Ｃと、中台の上面に設置されたさお１Ｄと、芝台の下面に形成された納骨用くぼみ１Ｅから構成され、芝台１Ａには納骨用くぼみと連通する平面方形の開口部１Ａ１が開口され、下台１Ｂには当該下台の正面に略下向きコ字状に形成した開口部１Ｂ１が芝台の開口部１Ａ１と連通するよう構成され、下台１Ｂの開口部１Ｂ１には当該開口部１Ｂ１を塞ぐ状態で水鉢部２が取付けられ、水鉢部２内には香炉部１Ｆが配設されているものにおいて、水鉢部２は、下方台板２Ａと、左方側面２Ｂと、右方側面２Ｃと、上方台板２Ｄと、前方の観音開き戸２Ｅと、後方の観音開き戸２Ｆから構成されていることを特徴とするものである。
【０００７】
請求項２記載の発明は、請求項１記載の発明において、水鉢部２は、下方台板２Ａと、左方側面２Ｂと、右方側面２Ｃと、上方台板２Ｄと、前方の観音開き戸２Ｅと、後方の観音開き戸２Ｆから構成され、
Ａ．下方台板２Ａは、平面左右に横長方形に構成された下方板２Ａ１と、下方板２Ａ１の後方辺の上面に突設された横長角柱状のストッパ２Ａ２から構成され、
Ｂ．左方側面２Ｂは、前後の長さが下方台板の幅より短く構成されている側面方形の側板２Ｂ１の前方端外方に平面略Ｌ字状の切欠き２Ｂ２を形成して構成され、下方台板２Ａの左方辺に前方部分を残して起立連結され、
Ｃ．右方側面２Ｃは、前後の長さが下方台板の幅より短く構成されている側面方形の側板２Ｃ１の前方端外方に平面略Ｌ字状の切欠き２Ｃ２を形成して構成され、下方台板２Ａの右方辺に前方部分を残して起立連結され、
Ｄ．上方台板２Ｄは、平面左右に横長方形の上方板２Ｄ１で構成され、左方側面２Ｂと右方側面２Ｃの上面に下方台板２Ａと平行な状態で連結され、
Ｅ．前方の観音開き戸２Ｅは、前方左の開き戸２Ｅ１と前方右の開き戸２Ｅ２から構成され、
前方左の開き戸２Ｅ１は、正面方形の左戸用板２Ｅ１１と左戸用板の左方端に連設された立柱体２Ｅ１２から構成され、立柱体２Ｅ１２が左方側面２Ｂにおける切欠き２Ｂ２の位置で、下方台板２Ａと上方台板２Ｄ間で支点ピンにより回動自在の状態で支持され、
前方右の開き戸２Ｅ２は、正面方形の右戸用板２Ｅ２１と右戸用板の右方端に連設された立柱体２Ｅ２２から構成され、立柱体２Ｅ２２が右方側面２Ｃにおける切欠き２Ｃ２の位置で、下方台板２Ａと上方台板２Ｄ間で支点ピンにより回動自在の状態で支持され、
Ｆ．後方の観音開き戸２Ｆは、後方左の開き戸２Ｆ１と後方右の開き戸２Ｆ２から構成され、
後方左の開き戸２Ｆ１は、正面方形の左戸用板で構成され、当該後方左の開き戸２Ｆ１の左端を中心に下方台板２Ａと上方台板２Ｄ間で支点ピンにより回動自在の状態で支持され、
後方右の開き戸２Ｆ２は、正面方形の右戸用板で構成され、当該後方右の開き戸２Ｆ２の右端を中心に下方台板２Ａと上方台板２Ｄ間で支点ピンにより回動自在の状態で支持され、
Ｇ．香炉部１Ｆは、平面方形の下板１Ｆ１と、下板の上面に当該下板の左右部分１Ｆ１１を残して載置された香炉１Ｆ２から構成され、第１種水鉢部３内に収納されていることを特徴とするものである。
【０００８】
請求項３記載の発明は、請求項１記載の発明において、水鉢部２に代えて下記の第１種水鉢部３を用いるよう構成したことを特徴とするものである。
第１種水鉢部３は、下方台板３Ａと、左方側面３Ｂと、右方側面３Ｃと、上方台板３Ｄと、前方の観音開き戸３Ｅと、後方の観音開き戸３Ｆから構成され、
Ａ．下方台板３Ａは、平面左右に横長方形に構成された下方板３Ａ１と、下方板３Ａ１の後方辺の上面に突設された横長角柱状のストッパ３Ａ２から構成され、
Ｂ．左方側面３Ｂは、前後の長さが下方台板の幅より短く構成されている側面方形の側板３Ｂ１の前方面に平面略Ｕ字状の湾曲面３Ｂ２を形成して構成され、下方台板３Ａの左方辺に前方部分を残して起立連結され、
Ｃ．右方側面３Ｃは、前後の長さが下方台板の幅より短く構成されている側面方形の側板３Ｃ１の前方面に平面略Ｕ字状の湾曲面３Ｃ２を形成して構成され、下方台板３Ａの右方辺に前方部分を残して起立連結され、
Ｄ．上方台板３Ｄは、平面左右に横長方形の上方板３Ｄ１で構成され、左方側面３Ｂと右方側面３Ｃの上面に下方台板３Ａと平行な状態で連結され、
Ｅ．前方の観音開き戸３Ｅは、前方左の開き戸３Ｅ１と前方右の開き戸３Ｅ２から構成され、
前方左の開き戸３Ｅ１は、正面方形の左戸用板３Ｅ１１と左戸用板の左方端に連設された立柱体３Ｅ１２から構成され、立柱体３Ｅ１２が左方側面３Ｂにおける湾曲面３Ｂ２の前方位置で、下方台板３Ａと上方台板３Ｄ間で支点ピンにより回動自在の状態で支持され、
前方右の開き戸３Ｅ２は、正面方形の右戸用板３Ｅ２１と右戸用板の右方端に連設された立柱体３Ｅ２２から構成され、立柱体３Ｅ２２が右方側面３Ｃにおける湾曲面３Ｃ２の前方位置で、下方台板３Ａと上方台板３Ｄ間で支点ピンにより回動自在の状態で支持され、
Ｆ．後方の観音開き戸３Ｆは、後方左の開き戸３Ｆ１と後方右の開き戸３Ｆ２から構成され、
後方左の開き戸３Ｆ１は、正面方形の左戸用板で構成され、当該後方左の開き戸３Ｆ１の左端を中心に下方台板３Ａと上方台板３Ｄ間で支点ピンにより回動自在の状態で支持され、
後方右の開き戸３Ｆ２は、正面方形の右戸用板で構成され、当該後方右の開き戸３Ｆ２の右端を中心に下方台板３Ａと上方台板３Ｄ間で支点ピンにより回動自在の状態で支持されていること。
【０００９】
請求項４記載の発明は、請求項１記載の発明における水鉢部２に代えて下記の第２種水鉢部４を用いるよう構成したことを特徴とするものである。
第２種水鉢部４は、下方台板４Ａと、左方側面４Ｂと、右方側面４Ｃと、上方台板４Ｄと、前方の観音開き戸４Ｅと、後方の観音開き戸４Ｆから構成され、
Ａ．下方台板４Ａは、平面左右に横長方形に構成された下方板４Ａ１と、下方板４Ａ１の後方辺の上面に突設された横長角柱状のストッパ４Ａ２から構成され、
Ｂ．左方側面４Ｂは、側面方形の側板４Ｂ１の後方端に内方に折曲げた後方板４Ｂ２を連設して構成され、下方台板４Ａの左方辺に起立連結され、
Ｃ．右方側面４Ｃは、側面方形の側板４Ｃ１の後方端に内方に折曲げた後方板４Ｃ２を連設して構成され、下方台板４Ａの右方辺に起立連結され、
Ｄ．上方台板４Ｄは、平面左右に横長方形の板で構成され、左方側面４Ｂと右方側面４Ｃの上面に下方台板４Ａと平行な状態で連結され、
Ｅ．前方の観音開き戸４Ｅは、前方左の開き戸４Ｅ１と前方右の開き戸４Ｅ２から構成され、
前方左の開き戸４Ｅ１は、正面方形の左戸用板４Ｅ１１と左戸用板の左方端に連設された立柱体４Ｅ１２から構成され、下方台板４Ａと上方台板４Ｄ間における前方辺位置で支点ピンにより回動自在の状態で支持され、
前方右の開き戸４Ｅ２は、正面方形の右戸用板４Ｅ２１と右戸用板の右方端に連設された立柱体４Ｅ２２から構成され、下方台板４Ａと上方台板４Ｄ間における前方辺位置で支点ピンにより回動自在の状態で支持され、
Ｆ．後方の観音開き戸４Ｆは、後方左の開き戸４Ｆ１と後方右の開き戸４Ｆ２から構成され、
後方左の開き戸４Ｆ１は、正面方形の左戸用板で構成され、当該後方左の開き戸４Ｆ１の左端を中心に下方台板４Ａと上方台板４Ｄ間で支点ピンにより回動自在の状態で支持され、
後方右の開き戸４Ｆ２は、正面方形の右戸用板で構成され、当該後方右の開き戸４Ｆ２の右端を中心に下方台板４Ａと上方台板４Ｄ間で支点ピンにより回動自在の状態で支持されていること。
【００１０】
【発明の実施の形態】
以下、本発明の実施の形態を実施例にもとづき図面を参照して説明する。
１は本発明の墓である。
芝台１Ａと、芝台の上面に設置された下台１Ｂと、下台の上面に設置された中台１Ｃと、中台の上面に設置されたさお１Ｄと、芝台の下面に形成された納骨用くぼみ１Ｅから構成され、芝台１Ａには納骨用くぼみと連通する平面方形の開口部１Ａ１が開口され、下台１Ｂには当該下台の正面に略下向きコ字状に形成した開口部１Ｂ１が芝台の開口部１Ａ１と連通するよう構成され、下台１Ｂの開口部１Ｂ１には当該開口部１Ｂ１を塞ぐ状態で水鉢部２が取付けられ、水鉢部２内には香炉部１Ｆが配設されている。図中、１Ｇは経台である。
【００１１】
水鉢部２は、下方台板２Ａと、左方側面２Ｂと、右方側面２Ｃと、上方台板２Ｄと、前方の観音開き戸２Ｅと、後方の観音開き戸２Ｆから構成されている。（図１〜７参照）
そして、下台の開口部１Ｂ１にコーキングで接着されている。
【００１２】
Ａ．下方台板２Ａは、平面左右に横長方形に構成された下方板２Ａ１と、下方板２Ａ１の後方辺の上面に突設された横長角柱状のストッパ２Ａ２から構成されている。
Ｂ．左方側面２Ｂは、前後の長さが下方台板の幅より短く構成されている側面方形の側板２Ｂ１の前方端外方に平面略Ｌ字状の切欠き２Ｂ２を形成して構成され、下方台板２Ａの左方辺に前方部分を残して起立連結されている。
Ｃ．右方側面２Ｃは、前後の長さが下方台板の幅より短く構成されている側面方形の側板２Ｃ１の前方端外方に平面略Ｌ字状の切欠き２Ｃ２を形成して構成され、下方台板２Ａの右方辺に前方部分を残して起立連結されている。
Ｄ．上方台板２Ｄは、平面左右に横長方形の上方板２Ｄ１で構成され、左方側面２Ｂと右方側面２Ｃの上面に下方台板２Ａと平行な状態で連結されている。
【００１３】
Ｅ．前方の観音開き戸２Ｅは、前方左の開き戸２Ｅ１と前方右の開き戸２Ｅ２から構成されている。
ａ．前方左の開き戸２Ｅ１は、正面方形の左戸用板２Ｅ１１と左戸用板の左方端に連設された立柱体２Ｅ１２から構成され、立柱体２Ｅ１２が左方側面２Ｂにおける切欠き２Ｂ２の前方位置で、下方台板２Ａと上方台板２Ｄ間で回動自在の状態で支持されている。
ｂ．前方右の開き戸２Ｅ２は、正面方形の右戸用板２Ｅ２１と右戸用板の右方端に連設された立柱体２Ｅ２２から構成され、立柱体２Ｅ２２が右方側面２Ｃにおける切欠き２Ｃ２の前方位置で、下方台板２Ａと上方台板２Ｄ間で回動自在の状態で支持されている。
ｃ．前方左の開き戸２Ｅ１、前方右の開き戸２Ｅ２と下方台板２Ａあるいは上方台板２Ｄの連結は、それぞれの立柱体の上下面中心に埋込んだ支点ピンＳＰを下方台板２Ａと上方台板２Ｄ側に埋込んで行われている。
なお、支点ピンＳＰは公知のものである。（支点ピンＳＰは図６参照）
図中、２Ｅ４は前方左の開き戸２Ｅ１、前方右の開き戸２Ｅ２に設けられた把手である。
【００１４】
Ｆ．後方の観音開き戸２Ｆは、後方左の開き戸２Ｆ１と後方右の開き戸２Ｆ２から構成されている。
ａ．後方左の開き戸２Ｆ１は、正面方形の左戸用板で構成され、当該後方左の開き戸２Ｆ１の左端を中心に下方台板２Ａと上方台板２Ｄ間で回動自在の状態で支持されている。
ｂ．後方右の開き戸２Ｆ２は、正面方形の右戸用板で構成され、当該後方右の開き戸２Ｆ２の右端を中心に下方台板２Ａと上方台板２Ｄ間で回動自在の状態で支持されている。
ｃ．後方左の開き戸２Ｆ１、後方右の開き戸２Ｆ２と下方台板２Ａあるいは上方台板２Ｄの連結は、後方左の開き戸２Ｆ１における左端の上下面中心に埋込んだ支点ピンＳＰと後方右の開き戸２Ｆ２における右端の上下面中心に埋込んだ支点ピンＳＰを下方台板２Ａと上方台板２Ｄ側に埋込んで行われている。
なお、支点ピンＳＰは公知のものである。
図中、２Ｆ３は後方左の開き戸２Ｆ１、後方右の開き戸２Ｆ２に設けられた把手である。
Ｇ．香炉部１Ｆは、平面方形の下板１Ｆ１と、下板の上面に当該下板の左右部分１Ｆ１１を残して載置された香炉１Ｆ２から構成され、水鉢部２内に収納されている。
【００１５】
水鉢部２に代えて、第１種水鉢部３、第２種水鉢部４のいずれかにすることができる。
【００１６】
第１．第１種水鉢部３は、下方台板３Ａと、左方側面３Ｂと、右方側面３Ｃと、上方台板３Ｄと、前方の観音開き戸３Ｅと、後方の観音開き戸３Ｆから構成されている。（図８〜１５参照）
【００１７】
Ａ．下方台板３Ａは、平面左右に横長方形に構成された下方板３Ａ１と、下方板３Ａ１の後方辺の上面に突設された横長角柱状のストッパ３Ａ２から構成されている。
Ｂ．左方側面３Ｂは、前後の長さが下方台板の幅より短く構成されている側面方形の側板３Ｂ１の前方面に平面略Ｕ字状の湾曲面３Ｂ２を形成して構成され、下方台板３Ａの左方辺に前方部分を残して起立連結されている。
Ｃ．右方側面３Ｃは、前後の長さが下方台板の幅より短く構成されている側面方形の側板３Ｃ１の前方面に平面略Ｕ字状の湾曲面３Ｃ２を形成して構成され、下方台板３Ａの右方辺に前方部分を残して起立連結されている。
Ｄ．上方台板３Ｄは、平面左右に横長方形の上方板３Ｄ１で構成され、左方側面３Ｂと右方側面３Ｃの上面に下方台板３Ａと平行な状態で連結されている。
【００１８】
Ｅ．前方の観音開き戸３Ｅは、前方左の開き戸３Ｅ１と前方右の開き戸３Ｅ２から構成されている。
ａ．前方左の開き戸３Ｅ１は、正面方形の左戸用板３Ｅ１１と左戸用板の左方端に連設された立柱体３Ｅ１２から構成され、立柱体３Ｅ１２が左方側面３Ｂにおける湾曲面３Ｂ２の前方位置で、下方台板３Ａと上方台板３Ｄ間で回動自在の状態で支持されている。
ｂ．前方右の開き戸３Ｅ２は、正面方形の右戸用板３Ｅ２１と右戸用板の右方端に連設された立柱体３Ｅ２２から構成され、立柱体３Ｅ２２が右方側面３Ｃにおける湾曲面３Ｃ２の前方位置で、下方台板３Ａと上方台板３Ｄ間で回動自在の状態で支持されている。
ｃ．前方左の開き戸３Ｅ１、前方右の開き戸３Ｅ２と下方台板３Ａあるいは上方台板３Ｄの連結は、それぞれの立柱体の上下面中心に埋込んだ支点ピンＳＰを下方台板３Ａと上方台板３Ｄ側に埋込んで行われている。
なお、支点ピンＳＰは公知のものである。（支点ピンＳＰは図１１参照）
図中、３Ｅ４は前方左の開き戸３Ｅ１、前方右の開き戸３Ｅ２に設けられた把手である。
【００１９】
Ｆ．後方の観音開き戸３Ｆは、後方左の開き戸３Ｆ１と後方右の開き戸３Ｆ２から構成されている。
ａ．後方左の開き戸３Ｆ１は、正面方形の左戸用板で構成され、当該後方左の開き戸３Ｆ１の左端を中心に下方台板３Ａと上方台板３Ｄ間で回動自在の状態で支持されている。
ｂ．後方右の開き戸３Ｆ２は、正面方形の右戸用板で構成され、当該後方右の開き戸３Ｆ２の右端を中心に下方台板３Ａと上方台板３Ｄ間で回動自在の状態で支持されている。
ｃ．後方左の開き戸３Ｆ１、後方右の開き戸３Ｆ２と下方台板３Ａあるいは上方台板３Ｄの連結は、後方左の開き戸３Ｆ１における左端の上下面中心に埋込んだ支点ピンＳＰと後方右の開き戸３Ｆ２における右端の上下面中心に埋込んだ支点ピンＳＰを下方台板３Ａと上方台板３Ｄ側に埋込んで行われている。
なお、支点ピンＳＰは公知のものである。
Ｇ．香炉部１Ｆは、平面方形の下板１Ｆ１と、下板の上面に当該下板の左右部分１Ｆ１１を残して載置された香炉１Ｆ２から構成され、第１種水鉢部３内に収納されている。
【００２０】
第２．第２種水鉢部４は、下方台板４Ａと、左方側面４Ｂと、右方側面４Ｃと、上方台板４Ｄと、前方の観音開き戸４Ｅと、後方の観音開き戸４Ｆから構成されている。（図１６〜１８参照）
【００２１】
Ａ．下方台板４Ａは、平面左右に横長方形に構成された下方板４Ａ１と、下方板４Ａ１の後方辺の上面に突設された横長角柱状のストッパ４Ａ２から構成されている。
Ｂ．左方側面４Ｂは、側面方形の側板４Ｂ１の後方端に内方に折曲げた後方板４Ｂ２を連設して構成され、下方台板４Ａの左方辺に起立連結されている。
Ｃ．右方側面４Ｃは、側面方形の側板４Ｃ１の後方端に内方に折曲げた後方板４Ｃ２を連設して構成され、下方台板４Ａの右方辺に起立連結されている。
Ｄ．上方台板４Ｄは、平面左右に横長方形の板で構成され、左方側面４Ｂと右方側面４Ｃの上面に下方台板４Ａと平行な状態で連結されている。
【００２２】
Ｅ．前方の観音開き戸４Ｅは、前方左の開き戸４Ｅ１と前方右の開き戸４Ｅ２から構成されている。
ａ．前方左の開き戸４Ｅ１は、正面方形の左戸用板４Ｅ１１と左戸用板の左方端に連設された立柱体４Ｅ１２から構成され、下方台板４Ａと上方台板４Ｄ間における前方辺位置で回動自在の状態で支持されている。
ｂ．前方右の開き戸４Ｅ２は、正面方形の右戸用板４Ｅ２１と右戸用板の右方端に連設された立柱体４Ｅ２２から構成され、下方台板４Ａと上方台板４Ｄ間における前方辺位置で回動自在の状態で支持されている。
ｃ．前方左の開き戸４Ｅ１、前方右の開き戸４Ｅ２と下方台板４Ａあるいは上方台板４Ｄの連結は、それぞれの立柱体の上下面中心に埋込んだ支点ピン（図示略）を下方台板４Ａと上方台板４Ｄ側に埋込んで行われている。
なお、支点ピンは公知のものである。（支点ピンは図６参照）
図中、４Ｅ４は前方左の開き戸４Ｅ１、前方右の開き戸４Ｅ２に設けられた把手である。
【００２３】
Ｆ．後方の観音開き戸４Ｆは、後方左の開き戸４Ｆ１と後方右の開き戸４Ｆ２から構成されている。
ａ．後方左の開き戸４Ｆ１は、正面方形の左戸用板で構成され、当該後方左の開き戸４Ｆ１の左端を中心に下方台板４Ａと上方台板４Ｄ間で回動自在の状態で支持されている。
ｂ．後方右の開き戸４Ｆ２は、正面方形の右戸用板で構成され、当該後方右の開き戸４Ｆ２の右端を中心に下方台板４Ａと上方台板４Ｄ間で回動自在の状態で支持されている。
ｃ．後方左の開き戸４Ｆ１、後方右の開き戸４Ｆ２と下方台板４Ａあるいは上方台板４Ｄの連結は、後方左の開き戸４Ｆ１における左端の上下面中心に埋込んだ支点ピン（図示略）と後方右の開き戸４Ｆ２における右端の上下面中心に埋込んだ支点ピン（図示略）を下方台板４Ａと上方台板４Ｄ側に埋込んで行われている。
なお、支点ピンは公知のものである。（支点ピンは図６参照）
【００２４】
【発明の効果】
本発明は、上述の通り構成されているので次に記載する効果を奏する。
１．水鉢部で前方の観音開き戸と後方の観音開き戸の開け閉めが簡単にでき楽になるので、水鉢部での香炉の使用と納骨を極めて容易に行うことができる。
２．前方の観音開き戸と後方の観音開き戸で二重ふたに構成されているから、前方の戸を開けてから後方の戸を開けることになるので雨水が浸入しにくい。
３．下台１Ｂの開口部１Ｂ１に水鉢部をコーキングで接着するため雨水が浸入しない。
４．前方の観音開き戸と後方の観音開き戸は、上下の支点ピンで支持されているので、引き戸に比べて開閉に際して引っかかりがなく簡単に動かして納骨することができる。
５．引き戸の場合、左右に移動させることになるので、移動に要する横幅の空間を広く確保する必要があるが、本発明の場合、かかる横幅のスペースを確保する必要がない。
６．このほか、安価に製造できる、部品点数が少ないので組立が容易である、経済的である、などの効果をも有するものである。
【図面の簡単な説明】
【図１】墓の斜視図である。
【図２】同上の縦断面図である。
【図３】水鉢部の斜視図である。
【図４】水鉢部の上方台板を除去した状態の平面図である。
【図５】水鉢部の上方台板と香炉部を除去し前方の観音開き戸と後方の観音開き戸を開いた状態の平面図である。
【図６】水鉢部の分解斜視図である。
【図７】水鉢部の分解斜視図である。
【図８】第１種水鉢部の斜視図である。
【図９】前方の観音開き戸を開いた状態の斜視図である。
【図１０】香炉部を除去し前方の観音開き戸と後方の観音開き戸と後方の観音開き戸を開いた状態の斜視図である。
【図１１】第１種水鉢部の分解斜視図である。
【図１２】第１種水鉢部の分解斜視図である。
【図１３】第１種水鉢部の上方台板を除去した状態の平面図である。
【図１４】同上において前方の観音開き戸を開いた状態の平面図である。
【図１５】図１３において香炉部を除去し前方の観音開き戸と後方の観音開き戸を開いた状態の平面図である。
【図１６】第２種水鉢部を用いた墓の斜視図である。
【図１７】第２種水鉢部の斜視図である。
【図１８】第２種水鉢部の上方台板を除去した状態の平面図である。
【図１９】第２種水鉢部の上方台板と香炉部を除去し前方の観音開き戸と後方の観音開き戸を開いた状態の平面図である。
【符号の説明】
１  墓
１Ａ  芝台
１Ｂ  下台
１Ｃ  中台
１Ｄ  さお
１Ｅ  納骨用くぼみ
２  水鉢部
３  第１種水鉢部
４  第２種水鉢部
【図１】
2004360406.tif 000003
【図２】
2004360406.tif 000004
【図３】
2004360406.tif 000005
【図４】
2004360406.tif 000006
【図５】
2004360406.tif 000007
【図６】
2004360406.tif 000008
【図７】
2004360406.tif 000009
【図８】
2004360406.tif 000010
【図９】
2004360406.tif 000011
【図１０】
2004360406.tif 000012
【図１１】
2004360406.tif 000013
【図１２】
2004360406.tif 000014
【図１３】
2004360406.tif 000015
【図１４】
2004360406.tif 000016
【図１５】
2004360406.tif 000017
【図１６】
2004360406.tif 000018
【図１７】
2004360406.tif 000019
【図１８】
2004360406.tif 000020
【図１９】
2004360406.tif 000021